【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
遊技盤を着脱自在に装着し得る前面枠の前面側に、遊技盤の前面を覆う透明部材を保持する前面カバー部材を開閉自在に備えた遊技機において、
前記前面枠は、
前記前面カバー部材の一側方を回動可能に支持する支持部と、不正防止用に当該前面枠と前記前面カバー部材との隙間を遮る防犯手段と、を一体的に形成してなる金属製の支持兼防犯部材を一方側に設け、
前記前面カバー部材は、
中央を開口し、裏側に前記透明部材を配置する開口部と、
該開口部の裏側上辺部に沿って、前記前面枠に形成される凸部と嵌合することで、前記前面枠との隙間を遮る凹部と、
前記透明部材を上下方向にスライドさせることで着脱可能な透明部材保持枠と、
を有し、
可動部と該可動部により開閉される接点を含む開閉スイッチを当該前面カバー部材の中央部から前記支持部までの間で且つ前記凹部の中に設けて、前記可動部が前記前面枠の凸部に離隔又は当接することにより該前面カバー部材の開閉を検出するように構成し、
前記開閉スイッチは、
前記可動部が前記凹部の窪んだ領域より外側に飛び出さず且つ前記透明部材のスライドされる領域に突出しないように取り付けられる一方、
前記開閉スイッチの可動部が当接する前記前面枠の凸部を非導電性の部材により形成することを特徴とする遊技機。
【請求項２】
前記開閉スイッチはスイッチ用取付ベースを介して前記前面カバー部材に取り付けられると共に、
前記スイッチ用取付ベースは、
前記開閉スイッチの可動部に当接して該可動部の可動範囲を規制する範囲規制部を備えていることを特徴とする請求項１に記載の遊技機。
【請求項３】
前記範囲規制部は、
先端部が前記開閉スイッチの可動部の可動範囲に張り出すように、プレート状のベース板部から延出され且つ「コ」の字状に曲げられて形成されていることを特徴とする請求項２記載の遊技機。
【請求項４】
前記開閉スイッチの可動部は、
検出信号がオンからオフ又はその逆に切り換わるしきい点が間に含まれる検出時可動範囲ｆ２と、検出とは無関係な遊び部分の可動範囲ｆ１と、を含んだ範囲で回動可能であり、
前記範囲規制部によって規制される可動範囲は、
前記開閉スイッチの可動部の遊び部分の可動範囲ｆ１であることを特徴とする請求項２又は３に記載の遊技機。
【手続補正２】
【補正対象書類名】明細書
【補正対象項目名】０００１
【補正方法】変更
【補正の内容】
【０００１】
【発明の属する技術分野】
この発明は、遊技盤を着脱自在に装着し得る前面枠の前面側に、遊技盤の前面を覆う透明部材を保持する前面カバー部材を開閉自在に備えた遊技機に関する。
【手続補正３】
【補正対象書類名】明細書
【補正対象項目名】００１５
【補正方法】変更
【補正の内容】
【００１５】
【課題を解決するための手段】
上記課題を解決するため、本発明は、遊技盤を着脱自在に装着し得る前面枠の前面側に、遊技盤の前面を覆う透明部材（ガラス板やクリア樹脂など）を保持する前面カバー部材を開閉自在に備えた遊技機において、前記前面枠は、前記前面カバー部材の一側方を回動可能に支持する支持部と、不正防止用に当該前面枠と前記前面カバー部材との隙間を遮る防犯手段と、を一体的に形成してなる金属製の支持兼防犯部材を一方側に設け、前記前面カバー部材は、中央を開口し、裏側に前記透明部材を配置する開口部と、該開口部の裏側上辺部に沿って、前記前面枠に形成される凸部と嵌合することで、前記前面枠との隙間を遮る凹部と、前記透明部材を上下方向にスライドさせることで着脱可能な透明部材保持枠と、を有し、可動部と該可動部により開閉される接点を含む開閉スイッチを当該前面カバー部材の中央部から前記支持部までの間で且つ前記凹部の中に設けて、前記可動部が前記前面枠の凸部に離隔又は当接することにより該前面カバー部材の開閉を検出するように構成し、前記開閉スイッチは、前記可動部が前記凹部の窪んだ領域より外側に飛び出さず且つ前記透明部材のスライドされる領域に突出しないように取り付けられる一方、前記開閉スイッチの可動部が当接する前記前面枠の凸部を非導電性の部材により形成している構成とした。
【手続補正４】
【補正対象書類名】明細書
【補正対象項目名】００１８
【補正方法】変更
【補正の内容】
【００１８】
ここで、遊技機は、パチンコ遊技機やアレンジボール遊技機などの弾球遊技機など、遊技盤と透明部材との間の遊技領域に遊技球を送り込んで遊技を行う遊技機を全て含む。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
また、上記の手段によれば、開閉スイッチが開口部の上側上辺部に設けられているので、開閉スイッチの取付けスペースを確保しやすいし、また、ノイズなどの影響を受け難く、確実な検出が可能な最適な位置となる。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】変更
【補正の内容】
【００２４】
また、上記の手段によれば、上記開閉スイッチは上記凹部の窪んだ領域より外側に飛び出さないように取り付けられているので、遊技盤の交換やメンテナンス時に開閉スイッチが邪魔にならず、誤って何かに引っ掛けて開閉スイッチを壊してしまうと言ったような不具合も回避できる。
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】変更
【補正の内容】
【００２６】
また、上記の手段によれば、前記開閉スイッチの可動部が当接する前記前面枠の凸部が非導電性の部材により形成されているので、遊技機の導電性の部分で生じた電気的なノイズが開閉スイッチに伝わって、開閉スイッチで誤検出されてしまうなどの不具合を防止できる。
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】変更
【補正の内容】
【００２８】
また、上記の手段によれば、前記開閉スイッチの可動部が透明部材のスライドされる領域に突出しないように取り付けられているので、透明部材の取り外しや取り付け時に透明部材が開閉スイッチに引っ掛からないので、その作業性か向上される。
【手続補正１４】
【補正対象書類名】明細書
【補正対象項目名】００２９
【補正方法】変更
【補正の内容】
【００２９】
望ましくは、前記開閉スイッチはスイッチ用取付ベースを介して前記前面カバー部材に取り付けられると共に、前記スイッチ用取付ベースは、前記開閉スイッチの可動部に当接して該可動部の可動範囲を規制する範囲規制部を備えている構成とすると良い。
【手続補正１５】
【補正対象書類名】明細書
【補正対象項目名】００３１
【補正方法】変更
【補正の内容】
【００３１】
具体的には、前記範囲規制部は、先端部が前記開閉スイッチの可動部の可動範囲に張り出すように、プレート状のベース板部から延出され且つ「コ」の字状に曲げられて形成すると良い。
【手続補正１６】
【補正対象書類名】明細書
【補正対象項目名】００３２
【補正方法】変更
【補正の内容】
【００３２】
また具体的には、前記開閉スイッチの可動部は、検出信号がオンからオフ又はその逆に切り換わるしきい点が間に含まれる検出時可動範囲ｆ２と、検出とは無関係な遊び部分の可動範囲ｆ１と、を含んだ範囲で回動可能であり、前記範囲規制部によって規制される可動範囲が、前記開閉スイッチの可動部の遊び部分の可動範囲ｆ１であるようにすると良い。
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００８１
【補正方法】変更
【補正の内容】
【００８１】
また、本発明によれば、開閉スイッチを凹部内に収まるように設けているので、前面カバー部材を開けた状態で何らかの作業をする場合に、開閉スイッチが邪魔にならず、何かを引っ掛けて開閉スイッチを壊してしまうと云った不具合も回避できるという効果がある。
【手続補正２０】
【補正対象書類名】明細書
【補正対象項目名】００８２
【補正方法】削除
【補正の内容】